(57)【要約】【課題】高光沢の基材や高光沢の顔料を用いて、エンボス加工を施すことなく高意匠凹凸印刷物を提供する。【解決手段】高光沢の基材や高光沢顔料を用いた印刷物の上に、透明な樹脂皮膜を形勢する際、下層に弾かせる層を設けたり、グラビアやスクリーン塗工機で凹凸を付けて塗布する。高光沢基材としては蒸着紙、Ａｌ貼合紙、パール紙等が、用いられ、高光沢顔料は金属顔料、パール顔料、偏光パール顔料等が用いられる。樹脂層はＵＶ、ＥＢ硬化型、蒸発乾燥型樹脂のように短時間で硬化する樹脂がよい。【選択図】図１
2005053208.tif 000002
【特許請求の範囲】
【請求項１】
高光沢を有する基材の少なくとも片面に印刷が施されており、その上に透明の樹脂層が設けられ、その樹脂層が凹凸状になっていることを特徴とする高意匠凹凸印刷物。
【請求項２】
基材の少なくとも片面に高光沢を有する顔料を含むインキを用いて印刷が施されており、その上に透明の樹脂層が設けられ、その樹脂層が凹凸状になっていることを特徴とする高意匠凹凸印刷物。
【請求項３】
高光沢を有する基材が蒸着紙、Ａｌ貼り合わせ紙、パール紙のいずれかで成ることを特徴とする請求項１の高意匠凹凸印刷物。
【請求項４】
高光沢を有する顔料が、金属粉顔料、パール顔料、偏光パール顔料のいずれかまたは２種以上の顔料の組合せより成ることを特徴とする請求項２の高意匠凹凸印刷物。
【請求項５】
上記透明の樹脂層が、ＵＶ硬化型樹脂、ＥＢ硬化型樹脂、蒸発乾燥型樹脂より成ることを特徴とする請求項１または２の高意匠凹凸印刷物。
【請求項６】
上記透明の樹脂層を塗布する前に、その樹脂層を弾かせる弾き層を一層引くことを特徴とする請求項１または２の高意匠凹凸印刷物。
【請求項７】
グラビア印刷機で上記透明の樹脂層を塗布する時に、そのグラビア版の画線部一つ一つが単一のセルと成っていることを特徴とする高意匠凹凸印刷物の製造方法。
【請求項８】
スクリーン印刷機で上記透明の樹脂層を塗布することを特徴とする高意匠凹凸印刷物の製造方法。
【発明の詳細な説明】
【発明の詳細な説明】
【技術分野】
【０００１】  本発明は、ラベル、パッケージ、書籍カバー、パンフレット等の種々の印刷物において、高意匠性を持たせる凹凸印刷物ならびにその製造方法に関する。
【背景技術】
【０００２】  蒸着紙や金属光沢インキを使用した高光沢印刷物は、デザイン的な要請により種々の印刷に使用される。しかしながら、印刷そのままでは光沢はあるが、平面的となり深みのある表現は困難であり、高級感が出せなかった。また、触った質感も満足を得られるものではなかった。【０００３】  その改善として、基材を作る時にエンボス加工したり、印刷後にエンボス加工を行っていた。例えば、転写蒸着紙を製造する工程において、和紙調の紙を挟み込んで転写することにより凹凸を付け、高級感のある蒸着紙として市販されている。しかしながら、このような工程で製造された蒸着紙は高価であるとともに、印刷絵柄に合わせた凹凸表現が困難となり、デザイン上の制約ともなった。【０００４】  また、印刷、オーバーコート後にエンボス加工を行う方法もあるが、薄い基材ではエンボス効果が出にくく、またマットとなりせっかくの高光沢表現が生かせないという問題があった。また、新たな工程が追加されるため、納期的、コスト的な制約があった。
【発明が解決しようとする課題】
【０００５】  このように、蒸着紙や金属光沢インキを使用して高光沢印刷物の上にエンボス加工を行ってデザイン的に有効な凹凸表現を施すことは、コスト的、納期的に困難であった。
【０００６】  そこで、本発明者らは、高光沢の基材や顔料を用いて印刷された上に、容易に凹凸表現が可能ならば、安価で短納期が可能な高意匠凹凸印刷物が得られるとの発想を得、本発明を完成するに至った。
【０００７】  したがって本発明の目的は、エンボス加工を施すことなく、高光沢基材や高光沢顔料を用いた印刷物に凹凸表現を施し、高級感のある高意匠凹凸印刷物を提供することにある。
【課題を解決するための手段】
【０００８】  本発明において、基材はアート紙、キャストコート紙等のコート紙、蒸着紙、パール顔料を塗布したパール紙、蒸着フィルム、高光沢合成紙等の光沢を有する基材であれば種々のものが使用できる。
【０００９】  また、真鍮粉、アルミ粉、パール粉等光沢性を有した顔料を用いたインキを使用して基材に印刷してもよい。特に見る角度によって色相が変化する偏光パールの使用が好ましい。印刷は、オフセット印刷方式、グラビア印刷方式、スクリーン印刷方式、フレキソ印刷方式、凸輪印刷方式等、種々の印刷方式が可能である。
【００１０】  透明樹脂層は種々の樹脂が使用可能であるが、基材に転移してからできる限り早く固化する樹脂で構成されるほうがよい。なぜなら、基材に転移してから固化する時間が長いと、印刷版で凹凸と成った樹脂層が固化中に平坦になるためである。そのような樹脂としては、ＵＶ硬化型樹脂、ＥＢ硬化型樹脂、蒸発乾燥型樹脂がある。
【００１１】  また、凹凸表現を付ける手法の１つとして、樹脂層を引く前にその樹脂層を弾かせる層を１層設けてもよい。その層は、シリコン系や、パラフィン系、フッ素系のようなＷＡＸを含んだ樹脂層が効果を発揮する。
【００１２】  特に、このような樹脂層を凹凸にするためには、オフセット塗工方式、グラビア塗工方式、スクリーン塗工方式、フレキソ塗工方式、凸輪塗工方式等、種々の塗工方式が可能である。特にグラビア塗工方式、スクリーン塗工方式が優れている。
【００１３】  グラビア塗工方式で塗工する際には、その版の画線部が単一のセルで構成されている方がよい。従来のグラビア版は、図４に示す様に画線部内に細かなセル状に彫られており、樹脂が転移しない部分も発生する。その後、樹脂が固化するまでの間に樹脂が転移していない部分にも移動して平坦となる。この場合、良好な凹凸印刷は得にくく、特に固化の早い樹脂を使用した場合は、セル目がそのまま出てしまう。そこで、図３の様に１つの画線部全体に彫り込んだ版を使用すると、凹凸が損なわれず、よい凹凸表現が可能と成る。
【００１４】  本発明の請求項１に係る高意匠性凹凸印刷物は、図１の高光沢を有する基材１の少なくとも片面に印刷２が施されており、その上に透明の樹脂層３が設けられ、その樹脂層が凹凸状になっていることを特徴とするものである。
【００１５】  本発明の請求項２に係る高意匠性凹凸印刷物は、図１の基材１の少なくとも片面に高光沢を有する顔料を含むインキを用いて印刷２が施されており、その上に透明の樹脂層３が設けられ、その樹脂層が凹凸状になっていることを特徴とするものである。
【００１６】  本発明の請求項３に係る高意匠性凹凸印刷物は、請求項１における高光沢基材１が、蒸着紙、Ａｌ貼り合わせ紙、パール紙のいずれかで成ることを特徴とするものである。
【００１７】  本発明の請求項４に係る高意匠性凹凸印刷物は、請求項２の高光沢を有する顔料が、金属粉顔料、パール顔料、偏光パール顔料のいずれかまたは２種以上の顔料の組合せにより成ることを特徴とするものである。
【００１８】  本発明の請求項５に係る高意匠性凹凸印刷物は、請求項１または２における透明の樹脂層３が、ＵＶ硬化型樹脂、ＥＢ硬化型樹脂、蒸発乾燥型樹脂より成ることを特徴とするものである。
【００１９】  本発明の請求項６に係る高意匠凹凸印刷物は、請求項１または２における透明の樹脂層３を塗布する前に、その樹脂層を弾かせる弾き層４を一層引くことを特徴とするものである。
【００２０】  本発明の請求項７に係る高意匠凹凸印刷物の製造方法は、グラビア印刷機で上記透明の樹脂層３を塗布する時に、そのグラビア版の画線部一つ一つが単一のセルと成っていることを特徴とするものである。
【００２１】  本発明の請求項８に係る高意匠凹凸印刷物の製造方法は、スクリーン印刷機で上記透明の樹脂層を塗布することを特徴とするものである。
【実施例】
【００２２】  以下に実施例で本発明を説明する。  光沢性のある基材として、自社製蒸着紙ＥｃｏＲＥＸを用いた。また高光沢顔料として、偏光パール顔料を使用したオフセット印刷を用いた。凹凸樹脂の塗工方式は、グラビア並びにスクリーン塗工方式を使用した。グラビア方式では、１つの画線部が、０．５ｍｍの水玉状、ならびに和紙調の模様版を使用した。セルの深さは４０μである。また、同様の模様をスクリーン塗工方式でも実施した。いずれも、ＵＶ硬化型の樹脂を使用した。【００２３】  また、弾き層としてシリコンＷＡＸを添加したアクリル系の水性ニスを使用し、グラビアでの通常べた印刷を行った。この場合の樹脂も、ＵＶ硬化型の樹脂を使用した。【００２４】  比較例として、ＥｃｏＲＥＸにオフセット印刷を行い、水性アクリルのオーバーコートを実施し、エンボス加工を行った。また、市販の高意匠性の蒸着紙ハイピカ（特種製紙株式会社製）ならびに金彩加工紙（王子製紙株式会社製）にオフセット印刷を行い、水性アクリルのオーバーコートを実施した。【００２５】  以下に、その結果を表にまとめた。2005053208.tif 000003
【発明の効果】
【００２６】  このように本発明の請求項１に係る高意匠凹凸印刷物は、高光沢を有する基材の少なくとも片面に印刷が施されており、その上に透明の樹脂層が設けられ、その樹脂層が凹凸状になっていることにより、エンボス加工を施すことなく高級感のある高意匠凹凸印刷物を提供するものである。
【００２７】  また、本発明の請求項２に係る高意匠凹凸印刷物は、基材の少なくとも片面に高光沢有する顔料を含むインキを用いて印刷が施されており、その上に透明の樹脂層が設けられ、その樹脂層が凹凸状になっていることにより、エンボス加工を施すことなく高級感のある高意匠凹凸印刷物を提供するものである。
【００２８】  また本発明の請求項３に係る高意匠凹凸印刷物は、請求項１の発明において、高光沢の基材が蒸着紙、Ａｌ貼り合わせ紙、パール紙のいずれかで成ることにより、エンボス加工を施すことなく高級感のある高意匠凹凸印刷物を提供するものである。
【００２９】  また請求項４に係る高意匠凹凸印刷物は、請求項２の発明において、光沢の顔料が、金属粉顔料、パール顔料、偏光パール顔料のいずれかまたは２種以上の顔料の組合せにより成ることにより、エンボス加工を施すことなく高級感のある高意匠凹凸印刷物を提供するものである。
【００３０】  また、請求項５に係る高意匠凹凸印刷物は、請求項１または２の発明において、透明の樹脂層がＵＶ硬化型樹脂、ＥＢ硬化型樹脂、蒸発乾燥型樹脂より成ることにより、エンボス加工を施すことなく高級感のある高意匠凹凸印刷物を提供するものである。
【００３１】  また、請求項６に係る高意匠凹凸印刷物は、請求項１または２の発明において、上記透明の樹脂層を塗布する前に、その樹脂層を弾かせる弾き層引いて成ることにより、エンボス加工を施すことなく高級感のある高意匠凹凸印刷物を提供するものである。
【００３２】  また、請求項７に係る高意匠凹凸印刷物の製造方法は、グラビア印刷機で上記透明の樹脂層を塗布する時に、そのグラビア版の画線部一つ一つが単一のセルと成っていることにより、エンボス加工を施すことなく高級感のある高意匠凹凸印刷物製造方法を提供するものである。
【００３３】  また、請求項８に係る高意匠凹凸印刷物の製造方法は、スクリーン印刷機で上記透明の樹脂層を塗布して成ることにより、エンボス加工を施すことなく高級感のある高意匠凹凸印刷物製造方法を提供するものである。
【図面の簡単な説明】
【図１】本発明の実施形態の一例を示すものであり、断面図である。
【図２】本発明の他の実施形態の一例を示すものであり、断面図である。
【図３】本発明のグラビア版の実施形態の一例を示すものであり、断面図である。
【図４】通常のグラビア版の一例を示すものであり、断面図である。
【符号の説明】
１  基材２  印刷層３  樹脂層４  弾き層５  画線部６  非画線部
【図１】
2005053208.tif 000004
【図２】
2005053208.tif 000005
【図３】
2005053208.tif 000006
【図４】
2005053208.tif 000007